(57)【要約】【課題】    収納具本体から引き出しを引き出す際、引き出し移動先の空間の障害物を退けなければ十分に引き出せない場合が多い。また、十分に引き出さなければ引き出しの奥側に収納した物を取り出しにくくなる。また、季節や気分によって引き出しの奥側と手前側の収納物を入れ替えたいことがあるが、このとき引き出しの脱落防止機構を解除して引き出しを完全に取り外して作業しようとすると、手が滑って引き出しをひっくり返し収納物を散乱させてしまうことがよくある。【解決手段】  開口（２）から引き出し（３）が脱落しないようにしながら、引き出し（３）を引き出した状態で奥行き方向に対して垂直且つ引き出し（３）を通る軸線（４）を中心として収納具本体（１）及び引き出し（３）の相対回転を可能とする案内機構を開口（２）の内側及び引き出し（３）の間に備える。【選択図】         図３
2010110538.tif 000002
【特許請求の範囲】
【請求項１】
収納具本体の開口から出し入れ可能に奥行き方向にスライド移動可能な引き出しを備える収納具であって、
前記開口から前記引き出しが脱落しないようにしながら、前記引き出しを引き出した状態で前記奥行き方向に対して垂直且つ前記引き出しを通る軸線を中心として前記収納具本体及び前記引き出しの相対回転を可能とする案内機構を前記開口の内側及び前記引き出しの間に備える、収納具。
【請求項２】
前記相対回転の可能範囲は、少なくとも半回転である、
請求項１に記載の収納具。
【請求項３】
前記相対回転の可能範囲は、少なくとも１回転である、
請求項１に記載の収納具。
【請求項４】
前記案内機構を、前記開口の内側及び前記引き出しの底面の間に備える、
請求項１から請求項３のいずれかに記載の収納具。
【請求項５】
前記案内機構を、前記開口の内側及び前記引き出しの外周部の間に備える、
請求項１から請求項３のいずれかに記載の収納具。
【請求項６】
前記案内機構を、前記開口の内側及び前記引き出しの上面の間に備える、
請求項１から請求項３のいずれかに記載の収納具。
【請求項７】
前記軸線方向に見た図において前記引き出しの外郭は略四角形状である、
請求項１から請求項６のいずれかに記載の収納具。
【請求項８】
前記軸線方向に見た図において前記引き出しの外郭は略正方形状である、
請求項１から請求項６のいずれかに記載の収納具。
【請求項９】
前記軸線方向に見た図において前記収納具本体の外郭は略四角形状であり、
前記軸線方向に見た図の前記収納具本体の外郭の略四角形状の角付近を中心として前記開口が設けられる、
請求項７又は請求項８に記載の収納具。
【発明の詳細な説明】
【技術分野】
【０００１】
本発明は、収納具に関する。
【背景技術】
【０００２】
収納具においては、特許文献１の実施例のように収納具本体の開口から出し入れ可能に奥行き方向にスライド移動可能な引き出しを備え、引き出しが脱落しないように規制する機構が収納具本体の開口の内側及び引き出しの間に設けられているものが多い。
また、特許文献１の実施例のように収納具本体の複数の開口に対して複数の引き出しが積み重なるように配置されるものが多い。
【０００３】
【特許文献１】特開２００２−０５８５５６号公報
【発明の開示】
【発明が解決しようとする課題】
【０００４】
収納具本体から引き出しを引き出す際、引き出し移動先の空間の障害物を退けなければ十分に引き出せない場合が多い。また、十分に引き出さなければ引き出しの奥側に収納した物を取り出しにくくなる。また、季節や気分によって引き出しの奥側と手前側の収納物を入れ替えたいことがあるが、このとき引き出しの脱落防止機構を解除して引き出しを完全に取り外して作業しようとすると、手が滑って引き出しをひっくり返し収納物を散乱させてしまうことがよくある。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る収納具は、例えば図１から図６の組みのように、
収納具本体１の開口２から出し入れ可能に奥行き方向にスライド移動可能な引き出し３を備える収納具であって、
開口２から引き出し３が脱落しないようにしながら、引き出し３を引き出した図２のような状態で前記奥行き方向に対して垂直且つ引き出し３を通る軸線４を中心として収納具本体１及び引き出し３の相対回転を可能とする案内機構を開口２の内側及び引き出し３の間に備える、収納具である。
【０００７】
発明２に係る収納具は、発明１の収納具において、
引き出し３を引き出した図２のような状態で、軸線４を中心として収納具本体１及び引き出し３を少なくとも半回転の範囲で相対回転可能である、収納具である。
【０００８】
発明３に係る収納具は、発明１の収納具において、
引き出し３を引き出した図２のような状態で、軸線４を中心として収納具本体１及び引き出し３を少なくとも１回転の範囲で相対回転可能である、収納具である。
【０００９】
発明４に係る収納具は、発明１から３のいずれかの収納具において、
前記案内機構を、開口２の内側及び引き出し３の底面１５の間に備える、収納具である。
【００１０】
発明５に係る収納具は、発明１から３のいずれかの収納具において、例えば図９の引き出し３を選択した場合のように、
前記案内機構を、開口２の内側及び引き出し３の外周部１６の間に備える、収納具である。
【００１１】
発明６に係る収納具は、発明１から３のいずれかの収納具において、例えば図７の引き出し３を選択した場合のように、
前記案内機構を、開口２の内側及び引き出し３の上面１７の間に備える、収納具である。
【００１２】
発明７に係る収納具は、発明１から６のいずれかの収納具において、
軸線４方向に見た例えば図６右図において引き出し３の外郭２０は略四角形状である、収納具である。
【００１３】
発明８に係る収納具は、発明１から６のいずれかの収納具において、
軸線４方向に見た例えば図６右図において引き出し３の外郭２０は略正方形状である、収納具である。
【００１４】
発明９に係る収納具は、発明７又は８の収納具において、
軸線４方向に見た例えば図２左図において収納具本体１の外郭１９は略四角形状であり、
軸線４方向に見た例えば図２左図の収納具本体１の外郭１９の略四角形状の角１８付近を中心として開口２が設けられる、収納具である。
【発明の効果】
【００１５】
以上のように本発明では、収納具本体１から引き出し３をあまり引き出さなくても、軸線４を中心として引き出し３を相対回転させることで引き出し３の奥側と手前側の収納物をどちらも容易且つ収納物の散乱を防ぎながら取り出せるようになる。
【００１６】
また発明２では、本発明の効果に加えて、引き出し３の相対回転範囲をあまり気にせずに簡便に収納物を選択することが可能となる。
【００１７】
また発明３では、本発明の効果に加えて、引き出し３の相対回転範囲を気にせずに簡便に収納物を選択することが可能となる。
【００１８】
また発明４では、本発明の効果に加えて、引き出し３の上面１７に案内機構が無いことによって、収納物を出し入れしやすいような設計が容易となる。
【００１９】
また発明５では、本発明の効果に加えて、引き出し３を開口２から最大限外に出すことによって、収納物を出し入れしやすくするような設計が容易となる。
【００２０】
また発明６では、本発明の効果に加えて、引き出し３を引き出した状態での引き出し３の脱落に耐する荷重を上げるような設計が容易となる。
【００２１】
また発明７では、本発明の効果に加えて、引き出し３の収納量を十分確保するような設計が容易となる。
【００２２】
また発明８では、本発明の効果に加えて、引き出し３の収納量を十分確保し、且つ引き出し３を軸線４中心に相対回転させ収納具本体１に入れた際の収まり具合が均一となるような設計が容易となる。
【００２３】
また発明９では、本発明の効果に加えて、部屋の角や机の角に収納具を設置するような場合に収まりがよく、且つ引き出し３を引き出しやすく、軸線４を中心として相対回転させやすいような設計が容易となる。
【発明を実施するための最良の形態】
【００２４】
〔第１実施形態〕
図１から６において、収納具本体１は、樹脂製の上側部材５の接着面７に設けられた突起２１及び穴２２を、樹脂製の下側部材６の接着面８に設けられた穴２３及び突起２４にそれぞれ嵌め合わせ接着面７及び８を接着することによって立方体箱状になる。また、軸線４方向から見た例えば図１左図のように、収納具本体１の外郭１９は正方形状であり、角１８を中心として隣り合う二辺の部分が開口２となっている。
また、引き出し３は立方体箱状の樹脂製で、軸線４方向から見た例えば図６左図のように、引き出し３の外郭２０は正方形状であり、外郭２０の中心を通るように配置された軸線４を中心とする円柱状の突起２６が底面１５に設けられ、引き出し３をスライド移動させ相対回転させる際に指を掛ける為の穴１１から１４が外郭２０の４つの角付近にそれぞれ設けられ、仕切りによって仕切られ収納物を収納する為の凹形状が上面１７に設けられている。
開口２内側の下面１０に設けられた溝形状２５に突起２６が案内される案内機構によって、図１のような引き出し３を入れた状態と図２のような引き出し３を出した状態の間で、収納具本体１の奥行き方向に正確且つ引き出し３が脱落しないように出し入れ可能であり、且つ図２のような状態から図３のような状態に引き出し３を軸線４中心に４５度回転可能である。また、引き出し３は軸線４中心に複数回転可能である。
【００２５】
〔第２実施形態〕
第２実施形態は、第１実施形態の引き出し３を図７のものに変更したものである。
図７の引き出し３は、図６の引き出し３の上面１７にも軸線４を中心とする円柱状の突起２７を設けたものである。また、開口２内側の上面９には溝形状２５とおよそ鏡像関係にあり突起２７が案内される溝形状が新たに設けられている。ここで、突起２６及び溝形状２５を取り去っても、案内機構は機能する。
【００２６】
〔第３実施形態〕
第３実施形態は、第１実施形態の引き出し３を図８のものに変更したものである。
図８の引き出し３は、突起２６を取り去り、底面１５の縁部２８以外が凹形状となるようにしたものである。
また、開口２内側の下面１０の溝形状２５が取り去られ、底面１５の凹形状に案内される円柱状の突起が下面１０の中心付近に新たに設けられている。
縁部２８に下面１０の突起が当たるまで引き出し３を引き出すと図２のような状態になり、縁部２８に突起が案内されるように引き出し３を相対回転可能である。
【００２７】
〔第４実施形態〕
第４実施形態は、第２実施形態の引き出し３を図９のものに変更したものである。
図９の引き出し３は、突起２６及び２７を取り去り、軸線４と平行である軸線２９を中心とする軸ピン３０が外周部１６に密着して外周部１６を転がることが可能なように、８の字状のナイロン製ワイヤー３１及び３２が、外周部１６を一周する溝形状及び軸ピン３０の外周部を一周する溝形状にそれぞれ嵌り込んで張られている。
開口２内側の上面９の溝形状及び下面１０の溝形状２５にはそれぞれ軸ピン３０の一端部３３及び他端部３４が案内される。ここで、軸ピン３０の一端部３３及び他端部３４の一方が案内されるだけで、案内機構は機能する。また、ワイヤー３１及び３２の一方を取り去っても、案内機構は機能する。
【００２８】
〔その他の実施形態〕
第４実施形態において、上面９の溝形状及び下面１０の溝形状２５の代わりに、外郭１９の角１８に隣り合う２つの角のどちらかの付近の上面９及び下面１０にそれぞれ軸ピン３０の一端部３３及び他端部３４が隙間嵌合する穴を設け、収納具本体１及び引き出し３が軸線２９を中心として相対回転可能とすることで、奥行き方向にスライド移動可能な案内機構を構成しても良いだろう。
【００２９】
第４実施形態において、ワイヤー３１及び３２を取り去り、外周部１６を一周するようにＴ形スロットを設けて、このＴ形スロットに案内される部材を軸ピン３０と接続して、案内機構としても良いだろう。
【図面の簡単な説明】
【００３０】
【図１】第１実施形態の引き出し３を入れた状態を第三角法で表す図
【図２】第１実施形態の引き出し３を出した状態を第三角法で表す図
【図３】第１実施形態の引き出し３を回転させた状態を第三角法で表す図
【図４】第１実施形態の収納具本体１の上側部材５を第三角法で表す図
【図５】第１実施形態の収納具本体１の下側部材６を第三角法で表す図
【図６】第１実施形態の引き出し３を第三角法で表す図
【図７】第２実施形態の引き出し３を第三角法で表す図
【図８】第３実施形態の引き出し３を第三角法で表す図
【図９】第４実施形態の引き出し３を第三角法で表す図
【図１０】図９の軸ピン３０付近拡大図
【符号の説明】
【００３１】
１.                                                   収納具本体
２.                                                   開口
３.                                                   引き出し
４,２９.                                          軸線
５.                                                   上側部材
６.                                                   下側部材
７,８.                                              接着面
９,１７.                                          上面
１０.                                               下面
１１,１２,１３,１４,２２,２３.              穴
１５.                                               底面
１６.                                               外周部
１８.                                               角
１９,２０.                                          外郭
２１,２４,２６,２７.                            突起
２５.                                               溝形状
２８.                                               縁部
３０.                                               軸ピン
３１,３２.                                          ワイヤー
３３.                                               一端部
３４.                                               他端部
【図１】
2010110538.tif 000003
【図２】
2010110538.tif 000004
【図３】
2010110538.tif 000005
【図４】
2010110538.tif 000006
【図５】
2010110538.tif 000007
【図６】
2010110538.tif 000008
【図７】
2010110538.tif 000009
【図８】
2010110538.tif 000010
【図９】
2010110538.tif 000011
【図１０】
2010110538.tif 000012
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
収納具本体の開口から出し入れ可能に奥行き方向にスライド移動可能な引き出しを備える収納具であって、
前記開口から前記引き出しが脱落しないようにしながら、前記引き出しを引き出した状態で前記奥行き方向に対して垂直且つ前記引き出しを通る軸線を中心として前記収納具本体及び前記引き出しの相対回転を可能とする案内機構を前記開口の内側及び前記引き出しの間に備え、
前記軸線方向に見た図において前記引き出しの外郭は略四角形状であり、
前記軸線方向に見た図において前記収納具本体の外郭は略四角形状であり、
前記軸線方向に見た図の前記収納具本体の外郭の略四角形状の角付近を中心として前記開口が設けられ、
前記引き出しの上面には仕切りによって仕切られ収納物を収納する為の凹形状が複数設けられる、
収納具。
【手続補正２】
【補正対象書類名】明細書
【補正対象項目名】全文
【補正方法】変更
【補正の内容】
【発明の詳細な説明】
【技術分野】
【０００１】
本発明は、収納具に関する。
【背景技術】
【０００２】
収納具においては、特許文献１の実施例のように収納具本体の開口から出し入れ可能に奥行き方向にスライド移動可能な引き出しを備え、引き出しが脱落しないように規制する機構が収納具本体の開口の内側及び引き出しの間に設けられているものが多い。
また、特許文献１の実施例のように収納具本体の複数の開口に対して複数の引き出しが積み重なるように配置されるものが多い。
【０００３】
【特許文献１】特開２００２−０５８５５６号公報
【発明の開示】
【発明が解決しようとする課題】
【０００４】
収納具本体から引き出しを引き出す際、引き出し移動先の空間の障害物を退けなければ十分に引き出せない場合が多い。また、十分に引き出さなければ引き出しの奥側に収納した物を取り出しにくくなる。また、季節や気分によって引き出しの奥側と手前側の収納物を入れ替えたいことがあるが、このとき引き出しの脱落防止機構を解除して引き出しを完全に取り外して作業しようとすると、手が滑って引き出しをひっくり返し収納物を散乱させてしまうことがよくある。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る収納具は、例えば図１から図６の組みのように、
収納具本体１の開口２から出し入れ可能に奥行き方向にスライド移動可能な引き出し３を備える収納具であって、
開口２から引き出し３が脱落しないようにしながら、引き出し３を引き出した図２のような状態で前記奥行き方向に対して垂直且つ引き出し３を通る軸線４を中心として収納具本体１及び引き出し３の相対回転を可能とする案内機構を開口２の内側及び引き出し３の間に備え、
軸線４方向に見た例えば図６右図において引き出し３の外郭２０は略四角形状であり、
軸線４方向に見た例えば図２左図において収納具本体１の外郭１９は略四角形状であり、
軸線４方向に見た例えば図２左図の収納具本体１の外郭１９の略四角形状の角１８付近を中心として開口２が設けられ、
引き出し３の上面１７には仕切りによって仕切られ収納物を収納する為の凹形状が複数設けられる、収納具である。
【発明の効果】
【０００７】
以上のように本発明では、収納具本体１から引き出し３をあまり引き出さなくても、軸線４を中心として引き出し３を相対回転させることで引き出し３の奥側と手前側の収納物をどちらも容易且つ収納物の散乱を防ぎながら取り出せるようになり、且つ引き出し３の収納量を十分確保するような設計が容易となり、且つ部屋の角や机の角に収納具を設置するような場合に収まりがよく、且つ引き出し３を引き出しやすく、軸線４を中心として相対回転させやすいような設計が容易となる。
【発明を実施するための最良の形態】
【０００８】
〔第１実施形態〕
図１から６において、収納具本体１は、樹脂製の上側部材５の接着面７に設けられた突起２１及び穴２２を、樹脂製の下側部材６の接着面８に設けられた穴２３及び突起２４にそれぞれ嵌め合わせ接着面７及び８を接着することによって立方体箱状になる。また、軸線４方向から見た例えば図１左図のように、収納具本体１の外郭１９は正方形状であり、角１８を中心として隣り合う二辺の部分が開口２となっている。
また、引き出し３は立方体箱状の樹脂製で、軸線４方向から見た例えば図６左図のように、引き出し３の外郭２０は正方形状であり、外郭２０の中心を通るように配置された軸線４を中心とする円柱状の突起２６が底面１５に設けられ、引き出し３をスライド移動させ相対回転させる際に指を掛ける為の穴１１から１４が外郭２０の４つの角付近にそれぞれ設けられ、仕切りによって仕切られ収納物を収納する為の凹形状が上面１７に設けられている。
開口２内側の下面１０に設けられた溝形状２５に突起２６が案内される案内機構によって、図１のような引き出し３を入れた状態と図２のような引き出し３を出した状態の間で、収納具本体１の奥行き方向に正確且つ引き出し３が脱落しないように出し入れ可能であり、且つ図２のような状態から図３のような状態に引き出し３を軸線４中心に４５度回転可能である。また、引き出し３は軸線４中心に複数回転可能である。
【０００９】
〔第２実施形態〕
第２実施形態は、第１実施形態の引き出し３を図７のものに変更したものである。
図７の引き出し３は、図６の引き出し３の上面１７にも軸線４を中心とする円柱状の突起２７を設けたものである。また、開口２内側の上面９には溝形状２５とおよそ鏡像関係にあり突起２７が案内される溝形状が新たに設けられている。ここで、突起２６及び溝形状２５を取り去っても、案内機構は機能する。
【００１０】
〔第３実施形態〕
第３実施形態は、第１実施形態の引き出し３を図８のものに変更したものである。
図８の引き出し３は、突起２６を取り去り、底面１５の縁部２８以外が凹形状となるようにしたものである。
また、開口２内側の下面１０の溝形状２５が取り去られ、底面１５の凹形状に案内される円柱状の突起が下面１０の中心付近に新たに設けられている。
縁部２８に下面１０の突起が当たるまで引き出し３を引き出すと図２のような状態になり、縁部２８に突起が案内されるように引き出し３を相対回転可能である。
【００１１】
〔第４実施形態〕
第４実施形態は、第２実施形態の引き出し３を図９のものに変更したものである。
図９の引き出し３は、突起２６及び２７を取り去り、軸線４と平行である軸線２９を中心とする軸ピン３０が外周部１６に密着して外周部１６を転がることが可能なように、８の字状のナイロン製ワイヤー３１及び３２が、外周部１６を一周する溝形状及び軸ピン３０の外周部を一周する溝形状にそれぞれ嵌り込んで張られている。
開口２内側の上面９の溝形状及び下面１０の溝形状２５にはそれぞれ軸ピン３０の一端部３３及び他端部３４が案内される。ここで、軸ピン３０の一端部３３及び他端部３４の一方が案内されるだけで、案内機構は機能する。また、ワイヤー３１及び３２の一方を取り去っても、案内機構は機能する。
【００１２】
〔その他の実施形態〕
第４実施形態において、上面９の溝形状及び下面１０の溝形状２５の代わりに、外郭１９の角１８に隣り合う２つの角のどちらかの付近の上面９及び下面１０にそれぞれ軸ピン３０の一端部３３及び他端部３４が隙間嵌合する穴を設け、収納具本体１及び引き出し３が軸線２９を中心として相対回転可能とすることで、奥行き方向にスライド移動可能な案内機構を構成しても良いだろう。
【００１３】
第４実施形態において、ワイヤー３１及び３２を取り去り、外周部１６を一周するようにＴ形スロットを設けて、このＴ形スロットに案内される部材を軸ピン３０と接続して、案内機構としても良いだろう。
【図面の簡単な説明】
【００１４】
【図１】第１実施形態の引き出し３を入れた状態を第三角法で表す図
【図２】第１実施形態の引き出し３を出した状態を第三角法で表す図
【図３】第１実施形態の引き出し３を回転させた状態を第三角法で表す図
【図４】第１実施形態の収納具本体１の上側部材５を第三角法で表す図
【図５】第１実施形態の収納具本体１の下側部材６を第三角法で表す図
【図６】第１実施形態の引き出し３を第三角法で表す図
【図７】第２実施形態の引き出し３を第三角法で表す図
【図８】第３実施形態の引き出し３を第三角法で表す図
【図９】第４実施形態の引き出し３を第三角法で表す図
【図１０】図９の軸ピン３０付近拡大図
【符号の説明】
【００１５】
１.                                                   収納具本体
２.                                                   開口
３.                                                   引き出し
４,２９.                                          軸線
５.                                                   上側部材
６.                                                   下側部材
７,８.                                              接着面
９,１７.                                          上面
１０.                                               下面
１１,１２,１３,１４,２２,２３.              穴
１５.                                               底面
１６.                                               外周部
１８.                                               角
１９,２０.                                          外郭
２１,２４,２６,２７.                            突起
２５.                                               溝形状
２８.                                               縁部
３０.                                               軸ピン
３１,３２.                                          ワイヤー
３３.                                               一端部
３４.                                               他端部
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
収納具本体の開口から出し入れ可能に奥行き方向にスライド移動可能な引き出しを備える収納具であって、
前記開口から前記引き出しが脱落しないようにしながら、前記引き出しを引き出した状態で前記奥行き方向に対して垂直且つ前記引き出しを通る軸線を中心として前記収納具本体及び前記引き出しの相対回転を可能とする案内機構を前記開口の内側及び前記引き出しの間に備え、
前記軸線方向に見た図において前記引き出しの外郭は略四角形状であり、
前記軸線方向に見た図において前記収納具本体の外郭は略四角形状であり、
前記軸線方向に見た図の前記収納具本体の外郭の略四角形状の角付近を中心として前記開口が設けられ、
前記引き出しの上面には仕切りによって仕切られ収納物を収納する為の凹形状が複数設けられ、
前記引き出しの外郭の略四角形状の角を中心として隣り合う二辺を貫通する穴が前記凹形状を避けるように設けられる、
収納具。
【手続補正２】
【補正対象書類名】明細書
【補正対象項目名】全文
【補正方法】変更
【補正の内容】
【発明の詳細な説明】
【技術分野】
【０００１】
本発明は、収納具に関する。
【背景技術】
【０００２】
収納具においては、特許文献１の実施例のように収納具本体の開口から出し入れ可能に奥行き方向にスライド移動可能な引き出しを備え、引き出しが脱落しないように規制する機構が収納具本体の開口の内側及び引き出しの間に設けられているものが多い。
また、特許文献１の実施例のように収納具本体の複数の開口に対して複数の引き出しが積み重なるように配置されるものが多い。
【０００３】
【特許文献１】特開２００２−０５８５５６号公報
【発明の開示】
【発明が解決しようとする課題】
【０００４】
収納具本体から引き出しを引き出す際、引き出し移動先の空間の障害物を退けなければ十分に引き出せない場合が多い。また、十分に引き出さなければ引き出しの奥側に収納した物を取り出しにくくなる。また、季節や気分によって引き出しの奥側と手前側の収納物を入れ替えたいことがあるが、このとき引き出しの脱落防止機構を解除して引き出しを完全に取り外して作業しようとすると、手が滑って引き出しをひっくり返し収納物を散乱させてしまうことがよくある。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る収納具は、例えば図１から図６の組みのように、
収納具本体１の開口２から出し入れ可能に奥行き方向にスライド移動可能な引き出し３を備える収納具であって、
開口２から引き出し３が脱落しないようにしながら、引き出し３を引き出した図２のような状態で前記奥行き方向に対して垂直且つ引き出し３を通る軸線４を中心として収納具本体１及び引き出し３の相対回転を可能とする案内機構を開口２の内側及び引き出し３の間に備え、
軸線４方向に見た例えば図６右図において引き出し３の外郭２０は略四角形状であり、
軸線４方向に見た例えば図２左図において収納具本体１の外郭１９は略四角形状であり、
軸線４方向に見た例えば図２左図の収納具本体１の外郭１９の略四角形状の角１８付近を中心として開口２が設けられ、
引き出し３の上面１７には仕切りによって仕切られ収納物を収納する為の凹形状が複数設けられ、
例えば図３のように引き出し３の外郭２０の略四角形状の角を中心として隣り合う二辺を貫通する穴１１が前記凹形状を避けるように設けられる、収納具である。
【発明の効果】
【０００７】
以上のように本発明では、収納具本体１から引き出し３をあまり引き出さなくても、軸線４を中心として引き出し３を相対回転させることで引き出し３の奥側と手前側の収納物をどちらも容易且つ収納物の散乱を防ぎながら取り出せるようになり、且つ引き出し３の収納量を十分確保するような設計が容易となり、且つ部屋の角や机の角に収納具を設置するような場合に収まりがよく、且つ引き出し３を引き出しやすく、軸線４を中心として相対回転させやすいような設計が容易となる。
【発明を実施するための最良の形態】
【０００８】
〔第１実施形態〕
図１から６において、収納具本体１は、樹脂製の上側部材５の接着面７に設けられた突起２１及び穴２２を、樹脂製の下側部材６の接着面８に設けられた穴２３及び突起２４にそれぞれ嵌め合わせ接着面７及び８を接着することによって立方体箱状になる。また、軸線４方向から見た例えば図１左図のように、収納具本体１の外郭１９は正方形状であり、角１８を中心として隣り合う二辺の部分が開口２となっている。
また、引き出し３は立方体箱状の樹脂製で、軸線４方向から見た例えば図６左図のように、引き出し３の外郭２０は正方形状であり、外郭２０の中心を通るように配置された軸線４を中心とする円柱状の突起２６が底面１５に設けられ、引き出し３をスライド移動させ相対回転させる際に指を掛ける為の穴１１から１４が外郭２０の４つの角付近にそれぞれ設けられ、仕切りによって仕切られ収納物を収納する為の凹形状が上面１７に設けられている。
開口２内側の下面１０に設けられた溝形状２５に突起２６が案内される案内機構によって、図１のような引き出し３を入れた状態と図２のような引き出し３を出した状態の間で、収納具本体１の奥行き方向に正確且つ引き出し３が脱落しないように出し入れ可能であり、且つ図２のような状態から図３のような状態に引き出し３を軸線４中心に４５度回転可能である。また、引き出し３は軸線４中心に複数回転可能である。
【０００９】
〔第２実施形態〕
第２実施形態は、第１実施形態の引き出し３を図７のものに変更したものである。
図７の引き出し３は、図６の引き出し３の上面１７にも軸線４を中心とする円柱状の突起２７を設けたものである。また、開口２内側の上面９には溝形状２５とおよそ鏡像関係にあり突起２７が案内される溝形状が新たに設けられている。ここで、突起２６及び溝形状２５を取り去っても、案内機構は機能する。
【００１０】
〔第３実施形態〕
第３実施形態は、第１実施形態の引き出し３を図８のものに変更したものである。
図８の引き出し３は、突起２６を取り去り、底面１５の縁部２８以外が凹形状となるようにしたものである。
また、開口２内側の下面１０の溝形状２５が取り去られ、底面１５の凹形状に案内される円柱状の突起が下面１０の中心付近に新たに設けられている。
縁部２８に下面１０の突起が当たるまで引き出し３を引き出すと図２のような状態になり、縁部２８に突起が案内されるように引き出し３を相対回転可能である。
【図面の簡単な説明】
【００１１】
【図１】第１実施形態の引き出し３を入れた状態を第三角法で表す図
【図２】第１実施形態の引き出し３を出した状態を第三角法で表す図
【図３】第１実施形態の引き出し３を回転させた状態を第三角法で表す図
【図４】第１実施形態の収納具本体１の上側部材５を第三角法で表す図
【図５】第１実施形態の収納具本体１の下側部材６を第三角法で表す図
【図６】第１実施形態の引き出し３を第三角法で表す図
【図７】第２実施形態の引き出し３を第三角法で表す図
【図８】第３実施形態の引き出し３を第三角法で表す図
【符号の説明】
【００１２】
１.                                                    収納具本体
２.                                                    開口
３.                                                    引き出し
４.                                                    軸線
５.                                                    上側部材
６.                                                    下側部材
７,８.                                               接着面
９,１７.                                           上面
１０.                                                下面
１１,１２,１３,１４,２２,２３.   穴
１５.                                                底面
１６.                                                外周部
１８.                                                角
１９,２０.                                       外郭
２１,２４,２６,２７.                     突起
２５.                                                溝形状
２８.                                                縁部
【手続補正３】
【補正対象書類名】図面
【補正対象項目名】全図
【補正方法】変更
【補正の内容】
【図１】
2010110538.tif 000013
【図２】
2010110538.tif 000014
【図３】
2010110538.tif 000015
【図４】
2010110538.tif 000016
【図５】
2010110538.tif 000017
【図６】
2010110538.tif 000018
【図７】
2010110538.tif 000019
【図８】
2010110538.tif 000020